(57)【要約】【課題】本発明の実施形態は作業性が向上するエレベータリミットスイッチ点検装置を提供することを目的とする。【解決手段】本発明の実施形態に係るエレベータリミットスイッチ点検装置は、昇降路内に設置される上下一対の滑６車と、滑車６に巻き掛けられるワイヤー７と、ワイヤー７に固定される複数のリミットスイッチ３と、リミットスイッチ３の上下方向への昇降をガイドするガイド９と、ガイド９に沿って摺動するように複数のリミットスイッチ３それぞれに取り付けられる複数のガイドシュー１２と、昇降路内に設置されるガイドレール２に取り付けられ、複数のリミットスイッチ３をそれぞれ支持固定する複数の取付腕４と、ガイドシュー１２の一部が突出することで形成される突出部１３と、取付腕４の一部が突出することで形成されるストッパ１４とを備える。【選択図】図１
2013142024.tif 000002
【特許請求の範囲】
【請求項１】
昇降路内に設置される上下一対の滑車と、
前記滑車に巻き掛けられるワイヤーと、
前記ワイヤーに固定される複数のリミットスイッチと、
前記リミットスイッチの上下方向への昇降をガイドするガイドと、
前記ガイドに沿って摺動するように前記複数のリミットスイッチそれぞれに取り付けられる複数のガイドシューと、
前記昇降路内に設置されるガイドレールに取り付けられ、前記複数のリミットスイッチをそれぞれ支持固定する複数の取付腕と、
前記ガイドシューの一部が突出することで形成される突出部と、
前記取付腕の一部が突出することで形成されるストッパと、
を備え、
前記突出部は前記複数のガイドシューごとに、前記ストッパは前記複数の取付腕ごとにそれぞれ異なる箇所に設けられ、前記突出部及び前記ストッパは互いに一つの組み合わせの場合にのみ干渉することを特徴とするエレベータリミットスイッチ点検装置。
【請求項２】
昇降路内に設置される上下一対の滑車と、
前記滑車に巻き掛けられるワイヤーと、
前記ワイヤーに固定される複数のリミットスイッチと、
前記リミットスイッチの上下方向への昇降をガイドするガイドと、
前記ガイドに沿って摺動するように前記複数のリミットスイッチそれぞれに取り付けられ、それぞれ導電性部材を有する複数のガイドシューと、
前記昇降路内に設置されるガイドレールに取り付けられ、前記複数のリミットスイッチをそれぞれ支持固定する複数の取付腕と、
前記ガイド若しくは前記取付腕に備えられる電磁石と、
を備えることを特徴とするエレベータリミットスイッチ点検装置。
【請求項３】
昇降路内に設けられる複数のリミットスイッチと、
前記リミットスイッチ側面に取り付けられ内部がねじ切り加工された筒状の中空部材と、
前記リミットスイッチの上下方向への昇降をガイドするガイドと、
前記ガイドに沿って摺動するように前記複数のリミットスイッチそれぞれに取り付けられ、それぞれ電磁石を有する複数のガイドシューと、
前記昇降路内に設置されるガイドレールに取り付けられ、前記複数のリミットスイッチをそれぞれ支持固定する複数の取付腕と、
前記ガイド若しくは前記取付腕に備えられる導電性部材と、
を備えることを特徴とするエレベータリミットスイッチ点検装置。
【請求項４】
前記複数のリミットスイッチは所定間隔をもって取付部材に固定されていることを特徴とする請求項１に記載のエレベータリミットスイッチ点検装置。
【請求項５】
昇降路内に設置される上下一対の滑車と、
前記滑車に巻き掛けられる平ベルトと、
前記平ベルトに所定間隔をもって固定される複数のリミットスイッチと、
前記リミットスイッチの一部が水平方向に所定距離だけ突出することで形成される突出部と、
前記昇降路内に設置されるガイドレールに取り付けられ前記滑車側水平方向に延伸し、前記リミットスイッチが前記滑車によって所定の位置まで移動したとき前記突出部と干渉するストッパと、
を備えることを特徴とするエレベータリミットスイッチ点検装置。
【発明の詳細な説明】
【技術分野】
【０００１】
本発明の実施形態は、作業性が向上するエレベータのリミットスイッチ点検装置に関する。
【背景技術】
【０００２】
エレベータの昇降路内には、乗りかごが終端階付近などで所定範囲を超えて昇降することを防ぐために複数のリミットスイッチが設置されている。
【０００３】
そして従来、高行程のエレベータにおいて、ピット深さが深い場合にはリミットスイッチの点検・交換作業を行う際に、昇降路内に作業台を設置しその上に乗って交換・点検する必要があった。この場合、作業台がピット内にあることで作業性の悪化を招いていた。
【０００４】
また、作業台をピット内に設置せずにリミットスイッチを上下に稼動させることで、作業員の手元にリミットスイッチを移動させて、点検・交換作業を行うものもある。
【先行技術文献】
【特許文献】
【０００５】
【特許文献１】特開平１１−３３５０１９号公報
【発明の概要】
【発明が解決しようとする課題】
【０００６】
しかしながら、上記のように作業台をピット内に設置すると作業性が悪化し、またリミットスイッチを上下に稼動させるには、複雑な構成を要していた。
【０００７】
そこで、本発明に係る実施形態は、簡易な構成でリミットスイッチを上下に稼動させることが可能で点検・交換作業が簡易となるエレベータリミットスイッチ点検装置を提供することを目的とする。
【課題を解決するための手段】
【０００８】
上記目的を達成するために、本発明の実施形態に係るエレベータリミットスイッチ点検装置は、昇降路内に設置される上下一対の滑車と、前記滑車に巻き掛けられるワイヤーと、前記ワイヤーに固定される複数のリミットスイッチと、前記リミットスイッチの上下方向への昇降をガイドするガイドと、前記ガイドに沿って摺動するように前記複数のリミットスイッチそれぞれに取り付けられる複数のガイドシューと、前記昇降路内に設置されるガイドレールに取り付けられ、前記複数のリミットスイッチをそれぞれ支持固定する複数の取付腕と、前記ガイドシューの一部が突出することで形成される突出部と、前記取付腕の一部が突出することで形成されるストッパと、を備え、前記突出部は前記複数のガイドシューごとに、前記ストッパは前記複数の取付腕ごとにそれぞれ異なる箇所に設けられ、前記突出部及び前記ストッパは互いに一つの組み合わせの場合にのみ干渉することを特徴とする。
【図面の簡単な説明】
【０００９】
【図１】本発明の第１の実施形態に係るエレベータリミットスイッチ点検装置の全体を示す構成図である。
【図２】本発明の第１の実施形態に係るエレベータリミットスイッチの取り付けを示す構成図である。
【図３】本発明の第１の実施形態に係るガイドとストッパの関係を示す構成図である。
【図４】本発明の第１の実施形態に係る各リミットスイッチとストッパの関係を示す構成図である。
【図５】本発明の第１の実施形態に係る滑車へのモータ取付けを示す構成図である。
【図６】本発明の第１の実施形態に係るガイドシューのその他の構成を示す構成図である。
【図７】本発明の第２の実施形態に係るガイドシューの構成を示す上方断面図である。
【図８】本発明の第３の実施形態に係るポールの差込部材の構成を示す構成図である。
【図９】本発明の第３の実施形態に係るポール差込部材の取付箇所を示す構成図である。
【図１０】本発明の第４の実施形態に係るエレベータリミットスイッチ点検装置を示す構成図である。
【図１１】本発明の第４の実施形態に係るリミットスイッチの取付けの詳細を示す詳細図である。
【発明を実施するための形態】
【００１０】
以下、本発明の実施形態について図面を参照して説明する。
【００１１】
（第１の実施形態）
図１は本発明の第１の実施形態に係るエレベータリミットスイッチ点検装置の全体を示す構成図である。図２は本発明の第１の実施形態に係るリミットスイッチの取り付けを示す構成図である。図３は本発明の第１の実施形態に係るガイドとストッパの関係を示す構成図である。図４は本発明の第１の実施形態に係る各リミットスイッチとストッパの関係を示す構成図である。
【００１２】
まず、図１を参照にして本実施形態に係るエレベータリミットスイッチ点検装置の全体構成を説明する。図１に示すように、昇降路内の乗りかご１は一対のガイドレール２に沿って上下方向に昇降する。このガイドレール２の昇降路下部にはリミットスイッチ３ａ〜３ｄを取り付けるための取付腕４ａ〜４ｄが水平方向に取り付けられる。
【００１３】
さらにこの取付腕４ａよりも上方および取付腕４ｄよりも下方に滑車固定腕５ａ、５ｂが取り付けられる。この滑車固定腕５ａ、５ｂは取付腕４ａ〜４ｄよりも長い。取付腕４ａ〜４ｄと滑車固定腕５ａ、５ｂは、一端の位置を揃えてそれぞれをガイドレール２に取り付けることにより、滑車固定腕５ａ、５ｂの他端が取付腕４ａ〜４ｄに比べて突出する構成となる。
【００１４】
この滑車固定腕５ａ、５ｂそれぞれの上記他端に滑車６ａ、６ｂを取り付ける。そして滑車６ａ、６ｂにはワイヤー７が巻き掛けられている。詳細は後述するが、ワイヤー７とリミットスイッチ３ａ〜３ｄはクリップ形状のワイヤーつかみ治具８によって取付位置が固定されている。
【００１５】
また、ワイヤー７に固定されるリミットスイッチ３ａ〜３ｄが上下方向に稼動することを案内するガイド９が取付腕４ａ〜４ｄ及び滑車固定腕５ａ、５ｂに取り付けられる。
【００１６】
なお、ワイヤー７とリミットスイッチ３ａ〜３ｄの取付固定は特に限定せず、上述の治具ではく、直接ワイヤー７にリミットスイッチ３ａ〜３ｄが取付固定されるものとしてもよい。
【００１７】
また、点検・交換作業時外に、滑車６ａ、６ｂ及びワイヤー７が稼動しないように、ワイヤー７を固定しておくワイヤー固定部材１０及びワイヤー固定部材１０をガイドレール２に固定支持する固定部材取付腕１１が備えられる。
【００１８】
次に図２を用いてリミットスイッチ３ａの取付の構成を説明する。リミットスイッチ３ａにはガイド９に沿って上下に摺動可能なガイドシュー１２が備えられている。ガイドシュー１２の形状は水平断面が略Ｃ型形状となっており、その開口部が取付腕４ａ及び滑車固定腕５ａ側に向くようにして、ガイドシュー１２はリミットスイッチ３ａに取り付けられる。リミットスイッチ３ｂ〜３ｄも同様にしてガイドシュー１２が取り付けられている。
【００１９】
また、リミットスイッチ３ａは滑車６に巻き掛けられているワイヤー７の動きと連動して上下に稼動するように、ワイヤーつかみ治具８によってリミットスイッチ３ａとワイヤー７とが連結している。ワイヤーつかみ治具８の構成は特に限定はしないが、本実施形態では、既述のようにクリップ形状となっており、ワイヤーつかみ治具８がワイヤー７を挟み込む構成となっている。リミットスイッチ３ｂ〜３ｄも同様にワイヤーつかみ治具８を備えており、ワイヤー７と連動して上下に稼動するように連結されている。なお、図２においては後述する突出部とストッパの記載は省略している。
【００２０】
次に図３を用いてガイドシュー１２の構成について詳細に説明する。図３に示すように、リミットスイッチ３ａに取り付けられるガイドシュー１２の上部には一方向に所定長さだけ延伸する突出部１３が設けられている。本実施形態では、リミットスイッチ３ａに取り付けられるガイドシュー１２に設けられる突出部１３はガイドレール２側に向かって取付腕４ａと並行方向に所定長さだけ延伸している。
【００２１】
そして、取付腕４ａの上部には、突出部１３と交差するような箇所にストッパ１４が設けられる。このとき、突出部１３はストッパ１４よりも下方に位置するように構成される。すなわち、ガイドシュー１２に固定されるリミットスイッチ３ａは、取付腕４ａよりも上方に稼動しない。
【００２２】
このようにガイドシュー１２には突出部１３が設けられ、さらに取付腕４ａにはこの突出部１３に対応する箇所にストッパ１４が設けられる。この構成はリミットスイッチ３ａ〜３ｄに取り付けられる全てのガイドシュー１２が有する。詳細を図４に示す。
【００２３】
図４に示すようにガイドレール２に取り付けられる取付腕４ａ〜４ｄにはそれぞれガイドシュー１２ａ〜１２ｄが取り付けられる。そして、ガイドシュー１２ａ〜１２ｄにはそれぞれ突出部１３ａ〜１３ｄが設けられる。
【００２４】
次に突出部１３ａ〜１３ｄが設けられる箇所について説明する。ガイドシュー１２ａに設けられる突出部１３ａは図３を用いて上述したように、ガイドレール２側に向かって取付腕４ａと並行方向に所定長さだけ延伸している。ガイドシュー１２ｂに設けられる突出部１３ｂは、突出部１３ａよりも手前側すなわち取付腕４から離れる位置であって、ガイドレール２側に向かって取付腕４ａと並行方向に所定長さだけ延伸している。
【００２５】
この突出部１３ｂの所定長さとは、突出部１３ａよりも長い。ガイドシュー１２ｃに設けられる突出部１３ｃは、ガイドレール２側とは反対方向に向かって取付腕４ａと並行方向に所定長さだけ延伸している。すなわち突出部１３ｃは突出部１３ａと左右対称なる箇所に設けられる。
【００２６】
ガイドシュー１２ｄに設けられる突出部１３ｄは、突出部１３ｃよりも手前側すなわち取付腕４から離れる位置であって、ガイドレール２側とは反対方向に向かって取付腕４ｄと並行方向に所定長さだけ延伸している。この突出部１３ｄの所定長さとは、突出部１３ｃよりも長い。そして取付腕４ａ〜４ｄの上部には、突出部１３ａ〜１３ｄそれぞれの箇所と対応する箇所に設けられている。
【００２７】
以上、図１〜図４を用いて説明したように本実施形態に係るエレベータリミットスイッチ点検装置が構成されている。
【００２８】
次に、本実施形態に係るエレベータリミットスイッチ点検装置の動作について説明する。
【００２９】
リミットスイッチ３を点検・交換作業を行う際、作業員はまずピット内にてワイヤー固定部材１０によるワイヤー７の固定を解除する。そしてその後、ワイヤー７を操作し、リミットスイッチ３を手元に手繰り寄せる。このとき、リミットスイッチ３はガイドシュー１２がガイド９に沿うことにより下降する。
【００３０】
図４を用いて説明したように、ガイドシュー１２ａ〜１２ｄに設けられる突出部１３ａ〜１３ｄ及び取付腕４ａ〜４ｄに設けられるストッパ１４ａ〜１４ｄのそれぞれの位置関係から、リミットスイッチ３ａ〜３ｄが下降するときに、突出部１３ａ〜１３ｄはそれぞれに対応するストッパ１４ａ〜１４ｄ以外には干渉しない配置となっている。
【００３１】
そして、作業員は手元までリミットスイッチ３ａ〜３ｄが下降してきたら点検・交換作業をすることができる。その後、リミットスイッチ３ａ〜３ｄの点検・交換作業が終了したら、再びワイヤー７を操作し、リミットスイッチ３を上昇させる。このとき、突出部１３ａ〜１３ｄはそれぞれに対応するストッパ１４ａ〜１４ｄ以外には干渉しないことから、上昇限界位置まで上昇させることにより、元の位置に戻すことができる。
【００３２】
その他、本実施形態に係るエレベータリミットスイッチ点検装置において、図５に示すように滑車６ｂにモータ１５を備えるものとしてもよい。モータ１５を備えることにより、リミットスイッチ３を上下方向に移動させる場合に、作業員はワイヤー７を操作する必要がなくなる。
【００３３】
また、図６に示すようにリミットスイッチ３ａ〜３ｄを一体型のガイドシュー１６とすることも可能である。一体型のガイドシュー１６には、所定間隔をもってリミットスイッチ３ａ〜３ｄが取付固定されている。これにより、リミットスイッチ３ａ〜３ｄの位置が固定されるため、最上部に位置するリミットスイッチ３ａの定位置だけを定めることで、リミットスイッチ３ｂ〜３ｄの位置も固定することができる。つまり、この場合、リミットスイッチ３ａの取り付けられるガイドシュー１６上部に突出部１３を備え、また取付腕４ａにのみストッパ１４を設けるだけで、リミットスイッチ３ａ〜３ｄの取付位置を固定することができる。
【００３４】
（第２の実施形態）
次に本発明の第２の実施形態について説明する。図７は本発明の第２の実施形態に係るガイドシューの構成を示す上方断面図である。
【００３５】
本実施形態においては、取付腕に電磁石を備える構成となっており、第１の実施形態におけるガイドシューには、金属などの導電性部材を備える構成とする。その他の構成については、第１の実施形態と同様であるところは説明を省略する。以下、取付腕４及びガイドシュー１２の構成について説明する。
【００３６】
図７に示すように本実施形態における取付腕４には電磁石１７が備えられている。取付腕４への電磁石１７の取付方法については特に限定しないが、本実施形態においては図７のように、ガイドシュー１２よりも内側に水平断面略Ｃ型の取付部材を配置し、その取付部材の一部であって、導電性部材１８と対応する位置に電磁石１７が設けられるものとする。
【００３７】
そして、ガイドシュー１２には電磁石１７に対応する箇所に導電性部材１８が備えられている。つまり、リミットスイッチ３が通常の設置位置にくるときに、電磁石１７と導電性部材１８とが向かい合うようになっている。
【００３８】
次に、本実施形態に係るリミットスイッチ３の点検・交換作業について説明する。
【００３９】
まず、エレベータの通常運行時には取付腕４に備えられる電磁石１７に電流が流れている。電磁石１７に電流が流れていることにより、導電性部材１８と磁性により結合する。これにより、リミットスイッチ３が定位置に固定されている。
【００４０】
そして、リミットスイッチ３を交換する場合には、電磁石１７に対して電流を解除し、ワイヤー７を操作することでリミットスイッチ３を手元に手繰り寄せることが可能となる。
【００４１】
このような構成とすることにより、第１の実施形態と異なり、ガイドシュー１２に突出部が不要になり、また、取付腕４にもストッパが不要となる。さらに、リミットスイッチ３が定位置にある場合には、電磁石１７の磁力により、位置を固定することができるためワイヤーつかみ治具によってワイヤー７の駆動を固定する必要がなく、昇降路内に余計な設置物を配置する必要がなく省スペース化を図ることができる。
【００４２】
（第３の実施形態）
次に本発明の第３の実施形態について説明する。図８は本発明の第３の実施形態に係るリミットスイッチを示す構成図である。図９は本発明の第３の実施形態に係るポール差込部材の取付箇所を示す構成図である。
【００４３】
図８に示すように本実施形態に係るリミットスイッチ３には内部にねじ切り加工がなされた筒形状のポール差込部材１９が備えられている。このポール差込部材１９はリミットスイッチ３の側面に取り付けられている。このポール差込部材１９の取付方法は特に限定しないが、本実施形態にでは、リミットスイッチ３に溶着されて取り付けられるものとする。
【００４４】
次に本実施形態に係るリミットスイッチ３の点検・交換作業について説明する。本実施形態に係るリミットスイッチ３の点検・交換作業の際には、伸縮可能なポール２０を用いる。このポール２０の先端には、ポール差込部材１９のねじ切り加工と螺合して締結するように、同様のねじ切り加工がなされているねじ切り部２１を有している。
【００４５】
点検・交換作業の際に、リミットスイッチ３を上下方向に移動させる場合、ポール２０を伸張させ、その先端のねじ切り部２１をポール差込部材１９に差し込む。そしてポール２０を回転させながら、ねじ切り部２１とポール差込部材１９とを螺合させる。これにより、ポール２０とリミットスイッチ３とを固定させることができ、ポール２０を操作することにより、リミットスイッチ３を定位置まで持ち上げたり、手元まで下ろしたりすることができる。
【００４６】
さらに、図９に示すようにポール差込部材１９ａ〜１９ｄの取付箇所をリミットスイッチ３ａ〜３ｄごとに変化させることで、リミットスイッチ３のそれぞれを個別に点検・交換することができるようになる。これは、下方向から上方向に向かってポール２０を突き出す場合、上方投影面上、ポール差込部材１９ａ〜１９ｄ同士が重なっていると意図したリミットスイッチ３の点検・交換作業が出来なくなるためである。
【００４７】
本実施形態におけるリミットスイッチ３の固定方法については、第１の実施形態と同様に、ワイヤーつかみ治具を用いてワイヤーと固定する方法でもよく、また第２の実施形態と同様に、電磁石を用いてガイドと固定する方法でもよい。
【００４８】
（第４の実施形態）
次に本発明の第４の実施形態について説明する。図１０は本発明の第４の実施形態に係るエレベータリミットスイッチ点検装置の全体を示す構成図である。図１１は本発明の第４の実施形態に係るリミットスイッチの取付けの詳細を示す詳細図である。
【００４９】
図１０に示すように本実施形態では、第１の実施形態に係るワイヤーの代わりに所定幅を有する平ベルト２２を使用する。平ベルト２２には所定間隔をもってリミットスイッチ３ａ〜３ｄが取り付けられている。平ベルト２２へのリミットスイッチ３ａ〜３ｄの取付方法については特に限定しないが、溶着による接着や、皿ねじによる固定などが可能である。
【００５０】
また、平ベルト２２及び平ベルト２２を上下方向に稼動させるための滑車２３ａ、２１ｂには複数箇所穴加工がなされており、ボルト２４によって平ベルト２２と滑車２３ａ、２１ｂとを締結している。これにより、平ベルト２２が滑車２３に固定されることになり、すべりが生じることを防ぐことができる。
【００５１】
また、上述のように平ベルト２２には、所定間隔をもってリミットスイッチ３ａ〜３ｄが取付固定されている。これにより、リミットスイッチ３ａ〜３ｄの位置が固定されるため、最上部に位置するリミットスイッチ３ａの定位置だけを定めることで、リミットスイッチ３ｂ〜３ｄの位置も固定することができる。つまり、この場合、リミットスイッチ３ａの取り付けられるガイドシュー１２ａにのみ突出部１３を備え、また取付腕４ａにのみストッパ１４を設けるだけで、リミットスイッチ３ａ〜３ｄの取付位置を固定することができる。
【符号の説明】
【００５２】
１…乗りかご
２…ガイドレール
３…リミットスイッチ
４…取付腕
５…滑車固定腕
６…滑車
７…ワイヤー
８…ワイヤーつかみ治具
９…ガイド
１０…ワイヤー固定部材
１１…固定部材取付腕
１２…ガイドシュー
１３…突出部
１４…ストッパ
１５…モータ
１６…一体型ガイドシュー
１７…電磁石
１８…導電性部材
１９…ポール差込部材
２０…ポール
２１…ねじ切り部
２２…平ベルト
２３…滑車
２４…ボルト
【図１】
2013142024.tif 000003
【図２】
2013142024.tif 000004
【図３】
2013142024.tif 000005
【図４】
2013142024.tif 000006
【図５】
2013142024.tif 000007
【図６】
2013142024.tif 000008
【図７】
2013142024.tif 000009
【図８】
2013142024.tif 000010
【図９】
2013142024.tif 000011
【図１０】
2013142024.tif 000012
【図１１】
2013142024.tif 000013